(57)【要約】  本願発明は、バッグの内部に折り畳まれた上側部分に位置する少なくとも１つの取り外し可能なカードを含む紙バッグに関する。カードは、例えば、名刺、クリスマスカード、バレンタインカード、記念カード、又はディスカウントクーポンとして使用されることができる。カードは、異なる形状、例えば、矩形、正方形、星、円、楕円、又は、例えば、木、ハート、又はサンタクロースのようなイメージを有することができる。
2012528044.tif 000002
【特許請求の範囲】
【請求項１】
紙バッグであって、該バッグの内部に折りたたまれた上側部分に位置する１又はそれ以上の取り外し可能なカードを含む紙バッグ。
【請求項２】
該バッグは、２から８の取り外し可能なカードを含むことを特徴とする請求項１に記載の紙バッグ。
【請求項３】
該取り外し可能なカードは、名刺、クリスマスカード、バレンタインカード、記念カード、又はディスカウントクーポンであることを特徴とする請求項１に記載の紙バッグ。
【請求項４】
該カードは、矩形、正方形、星、円、楕円、又は、例えば、木、ハート、又はサンタクロースのようなイメージである請求項１に記載の紙バッグ。
【請求項５】
該バッグは、ショッピングバッグであることを特徴とする請求項１〜４のいずれか一項に記載の紙バッグ。
【請求項６】
該取り外し可能なカードは、パンチ−カッター機械でダイカットすることにより得られる、請求項１〜５のいずれか一項に記載された紙バッグの製造方法。
【発明の詳細な説明】
【技術分野】
【０００１】
本発明は、バッグの内部に折り畳まれた上側部分に位置する少なくとも１つの取り外し可能なカードを含む紙バッグに関する。
【背景技術】
【０００２】
非常に異なる状況で使用される幾つかの種類の紙バッグがある。ショッピングバッグの場合には、紙バッグは、ショップ又はショップにより売られる商品のロゴをバッグに印刷することにより、広告ツールとして使用される。バッグは、また、ショップの住所及び電話番号に関する情報も非常によく含む。しかしながら、バッグは、使用後に大抵捨てられるので、このように、バッグの広告効果は、非常に時間的に限られている。
【０００３】
取り外し可能なクーポンを備えたバッグは、従来技術により知られている。特許文献１（米国特許第３８０４３２３号明細書）及び特許文献２（仏国特許第２７２３０７０号明細書）は、取り外し可能なクーポンを備えたバッグを開示する。しかしながら、クーポンが取り外されたとき、クーポンの取り外しがバッグを駄目にするので、バッグは再使用されることができない。さらに、それらの特許は、ショッピングバッグと関連しないので、これらの特許に記載されている発明は、ショッピングバッグに適用することができない。
【０００４】
特許文献３（英国特許第２０７４５４１号明細書）は、オープントップ、クローズされた底部及び対向する横エッジのペアを有し、且つ前記エッジを提供するため材料のシートを折り畳むステップを含む工程により形成される紙バッグを開示し、ここでシートのオーバーラップ部分は、オーバーラップ部分を接続しているところを越えて延在し、その延長部には、それによりバッグから分離されることができるように弱体化されたラインを備えている。しかしながら、この特許によるバッグは、２つの欠点があり：オーバーラップ部分により、その製造で使用されるべき紙の量が増大し、そしてオーバーラップ部分は、バッグに物を入れるときに、オーバーラップ部分が損傷されるようになるか、又はさらに破壊されるようになることを避けるため、１つ又はそれ以上の点の接着（ｇｌｕｅ）を必要とする。
【先行技術文献】
【特許文献】
【０００５】
【特許文献１】米国特許第３８０４３２３号明細書
【特許文献２】仏国特許第２７２３０７０号明細書
【特許文献３】英国特許第２０７４５４１号明細書
【発明の概要】
【課題を解決するための手段】
【０００６】
本願発明は、ショッピングバッグの内側に折り畳まれた上側部分に、広告する情報を含む取り外し可能な領域を、挿入することにより、これらの問題を克服することを意図している。本発明は、バッグの広告効果の効果を改善することを可能にするだけではなく、例えば、ディスカウント、特別販売促進（ｓｐｅｃｉａｌ  ｐｒｏｍｏｔｉｏｎｓ）、クリスマスカード、バレンタインカード、等のような、広告の新たな形態の導入を可能にする。
【０００７】
さらに、本願発明は、名刺（ｖｉｓｉｔｉｎｇ  ｃａｒｄ）の別の印刷を不必要にするので、節約を可能にすることから、紙を節約するので、環境にやさしい。実際、取り外し可能なカードの位置は、カードなしにバッグを製造するのに使用される紙と同一の量の使用を可能にする。
【０００８】
別の重要な利点は、本発明によるバッグは、カードを取り外した後にも、美的には変わらないままであることである。これは、ショッピングバッグの場合、すなわち、ハンドルを備えた、高い質の紙バッグは、そのコストは安い使用のための単純な紙バッグの場合によりもかなり高く、特に重要である。
【図面の簡単な説明】
【０００９】
【図１】本願発明の使用のための異なるタイプのバッグを示す図である。
【図２】本願発明の使用のための異なるタイプのバッグを示す図である。
【図３】本願発明の使用のための異なるタイプのバッグを示す図である。
【図４】本願発明の使用のための異なるタイプのバッグを示す図である。
【図５】本願発明の使用のための異なるタイプのバッグを示す図である。
【図６】取り外し可能なカードを備えるバッグを示す図である。
【図７】バッグ及びバッグから取り外されるカードを示す図である。
【図８】取り外し可能なカードのための様々なカッティングスケッチを示す図である。
【図９】取り外し可能なカードのための様々なカッティングスケッチを示す図である。
【図１０】取り外し可能なカードのための様々なカッティングスケッチを示す図である。
【図１１】取り外し可能なカードのための様々なカッティングスケッチを示す図である。
【図１２】取り外し可能なカードのための異なる形状を示す図である。
【図１３】取り外し可能なカードのための異なる形状を示す図である。
【図１４】取り外し可能なカードのための異なる形状を示す図である。
【図１５】取り外し可能なカードのための異なる形状を示す図である。
【図１６】取り外し可能なカードのための異なる形状を示す図である。
【図１７】取り外し可能なカードのための異なる形状を示す図である。
【図１８】取り外し可能なカードのための異なる形状を示す図である。
【図１９】取り外し可能なカードに使用されることができる異なる位置を示す図である。
【図２０】取り外し可能なカードに使用されることができる異なる位置を示す図である。
【図２１】取り外し可能なカードに使用されることができる異なる位置を示す図である。
【図２２】取り外し可能なカードに使用されることができる異なる位置を示す図である。
【発明を実施するための形態】
【００１０】
本発明の好ましい実施形態において、本発明による紙バッグは、ショッピングバッグであり、１つ又はそれ以上の取り外し可能なカードを含む。その１つ又はそれ以上の取り外し可能なカードは、図６に示されているように、紙バッグの内側に折り畳まれた上側部分に配置されている。
【００１１】
取り外し可能な領域の寸法は、本質的ではなく、非常に小さいものから相対的に大きなものまで変わることができる。その寸法が、一旦取り除かれたバッグにとって問題を生じさせないことが重要である。例えば、カードが、垂直方向に、バッグの折り畳まれた部分に挿入される場合には、その寸法は、折り畳まれた部分の寸法により制限される。水平方向において、寸法は、バッグの形状により許される限りにおいて可能である。例えば、カードの水平方向の寸法を制限する要因は、ハンドルの間の距離であるかもしれない。
【００１２】
カードの厚さは、紙の厚さ及び補強部材と使用される板紙の存在可能性に依存する。
【００１３】
好ましい実施形態において、取り外し可能な領域は、ショップの名刺を含む。本発明の別の実施形態においては、取り外し可能な領域は、ディスカウントクーポンを含む。本発明のさらなる実施形態において、カードは、例えばバレンタインカード、クリスマスカード、又は記念カードのような、祝祭カードである。
【００１４】
カードの形状は、カードの特定の目的により変化することができる。カードがショップの名刺であるときは、矩形が好ましいが、それは、矩形、正方形、星、円、楕円、の形状、又はバレンタインバッグには、例えばハートのようなイメージ、クリスマスバッグには、木、星、又はサンタクロースのようなイメージを有することができる。
【００１５】
カードの数は、少なくとも１つであるが、カードの寸法によって、２から８にまで、好ましく変えることができる。
【００１６】
本願発明による紙バッグは、通常の方法により好ましく製造される。例えば、バッグは、通常のパンチカッター機械でダイカッティングにより製造されることができ、カードは、紙バッグ上でパンチされる。カードは、より強く又は弱くパンチされることができ、すなわち、カードは、特定の要求によって、簡単に、又はより困難に、取り外されることができる。図４は、異なる種類のカッティングスケッチを示し、それは、より簡単な又はより困難な取り外しとなる。
【図１】
2012528044.tif 000003
【図２】
2012528044.tif 000004
【図３】
2012528044.tif 000005
【図４】
2012528044.tif 000006
【図５】
2012528044.tif 000007
【図６】
2012528044.tif 000008
【図７】
2012528044.tif 000009
【図８】
2012528044.tif 000010
【図９】
2012528044.tif 000011
【図１０】
2012528044.tif 000012
【図１１】
2012528044.tif 000013
【図１２】
2012528044.tif 000014
【図１３】
2012528044.tif 000015
【図１４】
2012528044.tif 000016
【図１５】
2012528044.tif 000017
【図１６】
2012528044.tif 000018
【図１７】
2012528044.tif 000019
【図１８】
2012528044.tif 000020
【図１９】
2012528044.tif 000021
【図２０】
2012528044.tif 000022
【図２１】
2012528044.tif 000023
【図２２】
2012528044.tif 000024
【国際調査報告】
2012528044.tif 000025
2012528044.tif 000026
2012528044.tif 000027